(57)【要約】【課題】コレステリック液晶を利用したデータ表示機能を有する電子製品を提供する。【解決手段】制御器１１、コレステリック液晶１２および実行プログラムプロセッサ１３からなり、実行プログラムプロセッサ１３は伝送インターフェース３を介してホスト２と接続され、ホスト２が電子製品１に表示したい画面または文字の指令を出したとき、その指令は実行プログラムプロセッサ１３に伝送され、続いて実行プログラムプロセッサ１３はその指令を制御器１１に伝送し、表示したい画面または文字をコレステリック液晶１２に表示する。画面または文字を変更したいときは実行プログラムプロセッサを通じて指令を出すだけでよく、コレステリック液晶１２を電子製品１のラベルとして使用することができ、電子製品１の型番、配置または機能などをコレステリック液晶１２に表示する。【選択図】  図１
2007108558.tif 000002
【特許請求の範囲】
【請求項１】
制御器と、コレステリック液晶と、実行プログラムプロセッサとを備えたデータ表示機能を有する電子製品であって、
前記制御器は、表示したい画面または文字の指令をコレステリック液晶に出力し、
前記コレステリック液晶は、制御器から伝送された指令を受信し、指令中の表示したい画面または文字を表示し、
前記実行プログラムプロセッサは、接続されたホストから伝送された指令を受信し、その指令を制御器が受信できる規格に変換し、
ホストが電子製品に表示したい画面または文字の指令を出したとき、前記指令は電子製品に設置された実行プログラムプロセッサに伝送され、実行プログラムプロセッサはそれを制御器が受信できる規格に変換して制御器に伝送し、制御器は指令中の表示したい画面または文字をコレステリック液晶に表示することを特徴とするデータ表示機能を有する電子製品。
【請求項２】
前記電子製品は、伝送インターフェースを介してホストと接続されることを特徴とする請求項１記載のデータ表示機能を有する電子製品。
【請求項３】
制御器と、コレステリック液晶と、実行プログラムプロセッサとを備えたデータ表示機能を有する電子製品であって、
前記制御器は、表示したい画面または文字の指令をコレステリック液晶に出し、
前記コレステリック液晶は、制御器から伝送された指令を受信し、指令中の表示したい画面または文字を表示し、
前記実行プログラムプロセッサは、電子製品を使用するとき、電子製品の使用データまたは状態を制御器に伝送し、制御器にこの使用データまたは状態をコレステリック液晶に表示する、
ことを特徴とするデータ表示機能を有する電子製品。
【請求項４】
制御器と、コレステリック液晶と、実行プログラムプロセッサと、入力装置とを備えたデータ表示機能を有する電子製品であって、
前記制御器は、表示したい画面または文字の指令をコレステリック液晶に出し、
前記コレステリック液晶は、制御器から伝送された指令を受信し、指令中の表示したい画面または文字を表示し、
前記実行プログラムプロセッサは、一つまたは二つ以上の画面またはデータを保存し、
前記入力装置は、実行プログラムプロセッサの操作制御を行ない、実行プログラムプロセッサに予め保存してある画面または文字を制御器を通じてコレステリック液晶に表示させることを特徴とするデータ表示機能を有する電子製品。
【発明の詳細な説明】
【技術分野】
【０００１】
本発明はデータ表示機能を有する電子製品に関し、特に、コレステリック液晶を利用して画面または文字を表示する機能を有する電子製品であり、使用者にはっきりと電子製品の状態を示すことができ、電子製品を使用しないときでも、最後に表示した画面または文字を表示でき、使用者にはっきりと電子製品の最後に使用したときの関連データを示すことができるデータ表示機能を有する電子製品に関する。
【背景技術】
【０００２】
電子科学技術は日進月歩であり、エレクトロニクスは、コンピュータ、携帯電話、ＵＳＢメモリ、デジタルカメラなどに広く応用されており、これらの製品の機能も益々多様になっており、現代人にとってなくてはならないものとなっている。ＵＳＢメモリやメモリカードなどデータ保存を行なう電子製品は、記憶容量に制限があるので多くの人が同様の電子製品を複数個所有している。しかし、これらの電子製品を使用するとき、使用者は電子製品に接続された装置の電源を入れないと保存されているファイル、保存容量または残存容量が分からないので、使用者は記憶力に頼ったり、電子製品上にラベルを貼ったりして残りの容量や使用の可否を判断してどの電子製品にデータ等を保存するかを決定しなければならない。しかし、このような記憶力に頼る方法では忘れたり、覚え間違えたりする場合がある。また、電子製品に接続された装置の電源を入れて確認する場合、何度も電源を入れたりすることによって電子製品の使用寿命が短くなったり、エネルギーを浪費したりする。ラベルを貼り付ける場合、製品の見栄えが悪くなったり、剥がれたりする心配があり、これも最も良い解決方法ではない。
【０００３】
現在、新しい製品が発売されると、複数の人が同じ製品を購入することがあり、それによって、例えば他人の携帯電話、ＰＤＡまたはデジタルカメラなどと間違えてしまうことがあり、不要な誤解が発生することがある。
【０００４】
また、電子製品のケーシング上には型番、用法または機能などが表示されているが、使用者にはっきりと示すために、その色はケーシングの色と異なるものが多く、電子製品の見栄えを悪くしている。しかも、ある程度使用していると、ラベルが次第に剥がれてしまうことがある。また、同一の外観であっても機能が異なる場合、異なる型番となるので、ラベルを新たに製作する必要があり、製造コストを高めている。
【０００５】
現在、液晶パネルは広く使用されており、科学技術の進歩によって、コレステリック液晶（Ｃｈｏｌｅｓｔｅｒｉｃ  Ｌｉｑｕｉｄ  Ｃｒｙｓｔａｌ）が生まれ、このコレステリック液晶は記憶性を有する、広視野角である、ちらつきが無いなどの長所を有し、使用電力は液晶パネルの５０分の１またはそれ以下であり、コレステリック液晶を用いて画面を表示するとき、液晶の表示内容を変更するときだけ電力を消費し、画面が静止状態のときは電力を使用しないので、コレステリック液晶の電源を切った後でも最後に表示した画面を表示させ続けることができる。現在、コレステリック液晶はモニターまたは電子図書に使用されているだけであり、コレステリック液晶の特性を更に利用して広く使用することが望まれる。
【０００６】
故に、上述のコレステリック液晶を電子製品に応用し、従来技術の不便さを解決することは関連メーカーの研究目標であった。
【特許文献１】特開２０００−２７８５７３号公報
【発明の開示】
【発明が解決しようとする課題】
【０００７】
本発明の第１の目的は、電子製品をホストと接続されたとき、ホストは電子製品に表示したい画面または文字の指令を出してコレステリック液晶に表示することができ、設計者または使用者はコレステリック液晶を電子製品のラベルとして使用することができ、電子製品の型番、用法または機能などをコレステリック液晶に表示し、ラベル印刷に掛かるコストを削減できるデータ表示機能を有する電子製品を提供することにある。
本発明の第２の目的は、電子製品の使用時、電子製品の使用データおよび状態をコレステリック液晶に表示でき、使用者にはっきり電子製品の状態を示すことができ、電子製品を使用しないとき、使用者に電子製品を最後に使用した時の関連データをはっきり表示することができるデータ表示機能を有する電子製品を提供することにある。
本発明の第３の目的は、実行プログラムプロセッサ内に予め一つまたは二つ以上の画面またはデータが保存されており、使用者は入力装置によって実行プログラムプロセッサの操作制御を行ない、実行プログラムプロセッサに予め保存した画面または文字を制御器を通じてコレステリック液晶に表示させ、容易にコレステリック液晶に表示する画面または文字を変更することができるデータ表示機能を有する電子製品を提供することにある。
【課題を解決するための手段】
【０００８】
上述の目的を解決するために、請求項１の発明は、内部に制御器と、コレステリック液晶と、実行プログラムプロセッサとを備えたデータ表示機能を有する電子製品であって、制御器は、表示したい画面または文字の指令をコレステリック液晶に出し、コレステリック液晶は、制御器から伝送された指令を受信し、指令中の表示したい画面または文字を表示し、実行プログラムプロセッサは、接続されたホストから伝送された指令を受信し、その指令を制御器が受信できる規格に変換し、ホストが電子製品に表示したい画面または文字の指令を出したとき、指令は電子製品に設置された実行プログラムプロセッサに伝送され、実行プログラムプロセッサはそれを制御器が受信できる規格に変換して制御器に伝送し、制御器は指令中の表示したい画面または文字をコレステリック液晶に表示することを特徴とするデータ表示機能を有する電子製品である。
【０００９】
請求項２の発明は、電子製品は、伝送インターフェースを介してホストと接続されることを特徴とする請求項１記載のデータ表示機能を有する電子製品である。
【００１０】
請求項３の発明は、内部に制御器と、コレステリック液晶と、実行プログラムプロセッサとを備えたデータ表示機能を有する電子製品であって、制御器は、表示したい画面または文字の指令をコレステリック液晶に出力し、コレステリック液晶は、制御器から伝送された指令を受信して指令中の表示したい画面または文字を表示し、実行プログラムプロセッサは、電子製品を使用するとき、電子製品の使用データまたは状態を制御器に伝送し、制御器にこの使用データまたは状態をコレステリック液晶に表示させ、使用者にはっきりと電子製品の使用時の関連データを示すことを特徴とするデータ表示機能を有する電子製品である。
【００１１】
請求項４の発明は、内部に制御器と、コレステリック液晶と、実行プログラムプロセッサと、入力装置とを備えたデータ表示機能を有する電子製品であって、制御器は、表示したい画面または文字の指令をコレステリック液晶に出し、コレステリック液晶は、制御器から伝送された指令を受信し、指令中の表示したい画面または文字を表示し、実行プログラムプロセッサは、一つまたは二つ以上の画面またはデータを保存し、入力装置は、実行プログラムプロセッサの操作制御を行ない、実行プログラムプロセッサに予め保存してある画面または文字を制御器を通じてコレステリック液晶に表示させることを特徴とするデータ表示機能を有する電子製品である。
【発明の効果】
【００１２】
１  伝送インターフェースを介して電子製品がホストと接続されたとき、ホストは電子製品に表示したい画面または文字の指令を出すことができ、ホストは電子製品内の実行プログラムプロセッサの実行プログラムデータ読取り、実行する。また、実行プログラムプロセッサを通じて指令を伝送インターフェースから電子製品に伝送し、制御器がそれを受信し、表示したい画面または文字をコレステリック液晶に表示することができ、設計者または使用者はコレステリック液晶を電子製品のラベルとして使用することができ、電子製品の型番、配置または機能などをコレステリック液晶に表示し、従来技術のように電子製品の型番、配置または機能などを製品のケーシング上に表示して見栄えを悪くすることが無く、また、ラベル印刷に掛かるコストを削減できる。
２  電子製品の使用時、電子製品の使用データおよび状態をコレステリック液晶に表示でき、使用者にはっきり電子製品の状態を示すことができ、コレステリック液晶は記憶性を有するので、電子製品を使用しないときでも、使用者に電子製品を最後に使用した時の関連データをはっきり示すことができる。
３  実行プログラムプロセッサ内には予め一つまたは二つ以上の画面またはデータが保存されており、使用者は入力装置によって実行プログラムプロセッサの操作制御を行なうことができ、実行プログラムプロセッサに予め保存した画面または文字を制御器を通じてコレステリック液晶に表示させ、コレステリック液晶に表示する画面または文字を容易に変更することができる。
【発明を実施するための最良の形態】
【００１３】
上述の目的および効果を達成するために、本発明において採用した技術および構造を示す実施例を図に沿って詳細に示す。
【００１４】
図１は、本発明の第１の実施例を示すブロック図であり、図から分かるように本発明は電子製品１を有し、電子製品１内部に制御器１１、コレステリック液晶１２および実行プログラムプロセッサ１３を有する。
【００１５】
制御器１１は、使用者が表示したい画面または文字の指令をコレステリック液晶１２に出力する。
【００１６】
コレステリック液晶１２は、制御器１１から伝送された指令を受信し、指令中の表示したい画面または文字を表示する。
【００１７】
実行プログラムプロセッサ１３は、伝送インターフェース３を介してホスト２と接続される。ホスト２端は、伝送インターフェース３を介して電子製品１内に保存された実行プログラムプロセッサ１３のプログラムデータを読取り、実行し、実行プログラムプロセッサ１３を通じて電子製品１に指令を出す。
【００１８】
ホスト２が電子製品１に表示したい画面または文字の指令を出すとき、指令は伝送インターフェース３を介して電子製品１に設置された制御器１１に伝送され、制御器１１がこの指令を受信したとき、制御器１１は指令中の表示したい画面または文字をコレステリック液晶１２に伝送して表示する。コレステリック液晶１２に表示する画面または文字を変更したいとき、ホスト２は実行プログラムプロセッサ１３を通じて指令を出し、コレステリック液晶１２に表示される画面または文字を変更できる。
【００１９】
設計者または使用者は、コレステリック液晶１２を電子製品１のラベルとして使用することができ、電子製品１の型番、配置または機能などをコレステリック液晶１２に表示し、使用者に電子製品１の使用方式または型番を明瞭に表示することができる。電子製品１を使用しているとき、制御器１１は実行プログラムプロセッサ１３の制御を通じて電子製品１の使用データおよび状態をコレステリック液晶１２にはっきり表示することができる。コレステリック液晶１２は記憶性を有する、広視野角である、ちらつきが無いなどの長所を有し、また、使用電量が液晶パネルの５０分の１またはそれ以下であるので電子製品１は使用電力を節約できる。電子製品１を使用しないとき、最後に使用したときに表示した画面または文字が表示された状態に維持され、使用者に電子製品１の関連データをはっきり示すことができる。
【００２０】
制御器１１を通じてコレステリック液晶１２に電子製品１の関連データをはっきり表示することができるので、他人の電子製品１と間違えてしまうことが無く、不要な誤解の発生を避けることができる。
【００２１】
また、本発明の適用される上述の電子製品１は、携帯電話、ＵＳＢメモリ、ＭＰ３プレーヤーまたはＰＤＡ（Ｐｅｒｓｏｎａｌ  Ｄｉｇｉｔａｌ  Ａｓｓｉｓｔａｎｔ）であり、上述の伝送インターフェース３はＵＳＢ、ＩＥＥＥ１３９４または周辺装置のＰＣＩである。
【００２２】
図２は、本発明の第２の実施例を示すブロック図であり、図から分かるように、実行プログラムプロセッサ１３内には予め一つまたは二つ以上の画面またはデータが保存されており、電子製品１に設置された入力装置１４を通じて制御器１１に指令を出し、予め保存されている画面または文字を制御器１１を通じてコレステリック液晶１２に表示し、コレステリック液晶１２に表示された画面または文字を容易に変更することができる。上述の入力装置１４はキースイッチ装置、音声制御装置などである。
【００２３】
予め保存された一つまたは二つ以上の画面またはデータは、電子製品１が待機状態（スリープモード）のとき、制御器１１を通じてコレステリック液晶１２に表示することができ、使用者に電子製品１が待機状態になったことを示すことができる。
【００２４】
本発明によるデータ表示機能を有する電子製品が従来技術の欠点を改善する重要な技術を下記に示す。
【００２５】
１  伝送インターフェース３を介して電子製品１がホスト２と接続されたとき、ホスト２は電子製品１に表示したい画面または文字の指令を出すことができ、ホスト２は電子製品１内の実行プログラムプロセッサ１３を読取り、実行する。また、実行プログラムプロセッサ１３を通じて指令を伝送インターフェース３から電子製品に伝送し、制御器１１がそれを受信し、表示したい画面または文字をコレステリック液晶１２に表示することができ、設計者または使用者はコレステリック液晶１２を電子製品１のラベルとして使用することができ、電子製品１の型番、配置または機能などをコレステリック液晶１２に表示し、従来技術のように電子製品の型番、配置または機能などを製品のケーシング上に表示して見栄えを悪くすることが無く、また、ラベル印刷に掛かるコストを削減できる。
【００２６】
２  電子製品１の使用時、電子製品１の使用データおよび状態をコレステリック液晶１２に表示でき、使用者にはっきり電子製品１の状態を示すことができ、コレステリック液晶１２は記憶性を有するので、電子製品１を使用しないときでも、使用者に電子製品１を最後に使用した時の関連データをはっきり示すことができる。
【００２７】
３  実行プログラムプロセッサ１３内には予め一つまたは二つ以上の画面またはデータが保存されており、使用者は入力装置１４によって実行プログラムプロセッサ１３の操作制御を行なうことができ、実行プログラムプロセッサ１３に予め保存した画面または文字を制御器を通じてコレステリック液晶１２に表示させ、コレステリック液晶１２に表示する画面または文字を容易に変更することができる。
【００２８】
上述の詳細な説明は本発明の好適な実施例を示したものであり、本発明の主旨を逸脱しない範囲における同等効果の変更または修飾は全て本発明に含まれる。
【００２９】
以上のことから分かるように、本発明のデータ表示機能を有する電子製品は新規性、進歩性を備えており、特許要件に符合するものである。
【図面の簡単な説明】
【００３０】
【図１】本発明の第１の実施例を示すブロック図である。
【図２】本発明の第２の実施例を示すブロック図である。
【符号の説明】
【００３１】
１    電子製品
１１  制御器
１２  コレステリック液晶
１３  実行プログラムプロセッサ
１４  入力装置
２    ホスト
３    伝送インターフェース
【図１】
2007108558.tif 000003
【図２】
2007108558.tif 000004